(57)【要約】【課題】デジタル放送を受信するためのアンテナの方向の調整を容易にすること。【解決手段】ワンセグチューナ１１７から出力されるＣ／Ｎ比およびＢＥＲを取得し、Ｃ／Ｎ比がしきい値以上、且つＢＥＲがしきい値以下になればワンセグチューナ１１７が受信するワンセグ放送を再生する。その後、１２セグチューナ１１８から出力されるＣ／Ｎ比およびＢＥＲを取得し、Ｃ／Ｎ比がしきい値以上、且つＢＥＲがしきい値以下になれば１２セグチューナ１１８が受信する１２セグメント放送を再生する。【選択図】    図４
2008160424.tif 000002
【特許請求の範囲】
【請求項１】
同一チャネルを複数の帯域に分割し、分割された帯域から選ばれた１以上の帯域を占有する第１デジタル放送の信号と、前記分割された帯域から選ばれる前記第１デジタル放送より占有帯域数が多い帯域を占有する第２デジタル放送の信号とを含むデジタル放送信号を受信する受信装置であって、
アンテナから入力されるデジタル放送信号を中間周波数信号に変換する第１チューナと、前記中間周波数信号を第１デジタル信号に変換すると共に、第１デジタル信号を復調して第１デジタル放送信号を再生するための第１復調信号を生成する第１復調器と、前記第１復調信号に対して誤り訂正処理を実行して第１誤り訂正信号を生成する第１誤り訂正器とを有する第１受信部と、
前記アンテナから入力されるデジタル放送信号を中間周波数信号に変換する第２チューナと、前記中間周波数信号を第２デジタル信号に変換すると共に、第２デジタル信号を復調して第２デジタル放送信号を再生するための第２復調信号を生成する第２復調器と、前記第２復調信号に対して誤り訂正処理を実行して第２誤り訂正信号を生成する第２誤り訂正器とを有する第２受信部と、
前記第１誤り訂正信号から前記第１デジタル放送を再生することができる否かを判別する第１判別部と、
前記第１判別部が前記第１デジタル放送を再生することができると判別した場合に、前記第１デジタル放送を再生することができることを通知するための第１通知部と、
前記第１デジタル放送を再生することができると判別した場合に、前記第２誤り訂正信号から前記第２デジタル放送を再生することができるかを判別する第２判別部と、
前記第２デジタル放送を再生することができると判別した場合に、前記第２デジタル放送を再生することができることを通知するための第２通知部と
を具備することを特徴とする受信装置。
【請求項２】
第１判別部は、前記第１受信部から出力される搬送波対雑音電力比、信号対雑音比、およびＢＥＲ（Bit Error Rate）の何れかを含む第１信号状態情報に基づいて第１デジタル放送を再生できるか否かを判別し、
第２判別部は、前記第２受信部から出力される搬送波対雑音電力比、信号対雑音比、およびＢＥＲ（Bit Error Rate）の何れかを含む第２信号状態情報に基づいて第２デジタル放送を再生できるか否かを判別することを特徴とする請求項１記載の受信装置。
【請求項３】
前記第１判別部が前記第１デジタル放送を再生することが出来ないと判別している場合に、前記第１信号状態情報を表示装置に表示し、前記第２判別部が前記第２デジタル放送を再生することが出来ない判別している場合に、前記第２信号状態情報を前記表示装置に表示する制御部とを更に具備することを特徴とする請求項２記載の受像装置。
【請求項４】
前記第１判別部が前記第１デジタル放送を再生することができないと判別している場合に前記第２誤り訂正器の処理を停止させ、前記第１判別部が第１デジタル放送を再生することができると判別している場合に前記第２誤り訂正器の処理を開始させる制御部を更に具備することを特徴とする請求項１記載の受信装置。
【請求項５】
前記第１判別部が第１デジタル放送を再生することができると判別している場合に、前記第１受信部から出力される搬送波対雑音電力比に基づいて、前記第２受信部が出力する搬送波対雑音電力比がしきい値以上であるか否かを判別する第３判別部を更に具備し、
前記制御部は、前記第１判別部が第１デジタル放送を再生することができると判別し、且つ前記第３判別部が前記第２受信部の出力する搬送波対雑音電力比がしきい値以上であると判別している場合に前記第２誤り訂正器の処理を開始させることを特徴とする請求項４記載の受信装置。
【請求項６】
同一チャネルを複数の帯域に分割し、分割された帯域から選ばれた１以上の帯域を占有する第１デジタル放送の信号と、前記分割された帯域から選ばれる前記第１デジタル放送より占有帯域数が多い帯域を占有する第２デジタル放送の信号とを含むデジタル放送信号を受信する受信装置の制御方法であって、
アンテナから入力される前記デジタル放送信号を中間周波数信号に変換し、
前記中間周波数信号を第１デジタル信号に変換すると共に、前記第１デジタル信号を復調することによって前記第１デジタル放送を再生するための第１復調信号を生成し、
前記第１復調信号に対して誤り訂正処理を実行して第１誤り訂正信号を生成し、
前記第１誤り訂正信号から前記第１デジタル放送を再生することができる否かを判別し、
前記第１デジタル放送を再生することができると判別した場合に、前記第１デジタル放送を再生することができることを通知し、
前記アンテナから入力される前記デジタル放送信号を中間周波数信号に変換し、
前記中間周波数信号をデジタル信号に変換すると共に、デジタル信号を復調して前記第２デジタル放送を再生するための第２復調信号を生成し、
前記第２復調信号に対して誤り訂正処理を実行して第２誤り訂正信号を生成し、
前記第２誤り訂正信号から前記第２デジタル放送を再生することができる否かを判別し、
前記第２デジタル放送を再生することができると判別した場合に、前記第２デジタル放送を再生することができることを通知することを特徴とする受信装置の制御方法。
【請求項７】
前記第１デジタル放送の再生できるか否かは、前記第１受信部から出力される搬送波対雑音電力比、信号対雑音比、およびＢＥＲ（Bit Error Rate）の何れかを含む第１信号状態情報に基づいて判別され、
第２デジタル放送を再生できるか否かは、前記第２受信部から出力される搬送波対雑音電力比、信号対雑音比、およびＢＥＲ（Bit Error Rate）の何れかを含む第２信号状態情報に基づいて判別されることを特徴とする請求項６記載の受信装置の制御方法。
【請求項８】
前記第１デジタル放送を再生することが出来ないと判別している場合に、前記第１信号状態情報を表示装置に表示し、前記第２判別部が前記第２デジタル放送を再生することが出来ないと判別している場合に、前記第２信号状態情報を前記表示装置に表示することを特徴とする請求項７記載の受像装置の制御方法。
【請求項９】
前記第１デジタル放送を再生することができないと判別している場合に前記第２誤り訂正信号の生成処理を停止させ、第１デジタル放送を再生することができると判別している場合に前記第２誤り訂正信号の生成処理を開始させることを特徴とする請求項６記載の受像装置の制御方法。
【請求項１０】
前記第１デジタル放送を再生することができると判別している場合に、第１復調信号の生成時に得られる搬送波対雑音電力比に基づいて、第２復調信号の生成時に得られる搬送波対雑音電力比がしきい値以上であるか否かを判別し、
前記第１デジタル放送を再生することができると判別し、且つ第２復調信号の生成時に得られる搬送波対雑音電力比がしきい値以上であると判別している場合に、前記第２誤り訂正信号の生成処理を開始させることを特徴とする請求項９記載の受信装置の制御方法。
【発明の詳細な説明】
【技術分野】
【０００１】
本発明は、デジタル放送を受信する受信装置、および受信装置の制御方法に関する。
【背景技術】
【０００２】
地上波デジタル放送（ISDB-T：Integrated Services Digital Broadcasting - terrestrial）には、モバイル向けの１セグメント放送（ワンセグ放送）と、固定局向けの１２セグメント放送とがある。ＩＳＤＢ−Ｔの１２セグメント放送の再生は、室外アンテナもしくは室内アンテナがほぼ必須であり、アンテナの方向を受信する必要がある。
【０００３】
デジタル放送の受信アンテナの方向設置方法として、復調の際のエラーレートを受信レベルとして記憶部に記憶しておき、地上波デジタル放送の受信チャネルごとの受信レベルのうち、基準レベルを超えるものが最も多くなる方向に受信アンテナを設置することが開示されている（特許文献１）。
【特許文献１】特開２００１−３２０７４４号
【発明の開示】
【発明が解決しようとする課題】
【０００４】
デジタル放送を再生することが出来るアンテナの方向の範囲は、アナログ放送より狭くアンテナ方向を調整することが困難である。
【０００５】
本発明の目的は、デジタル放送を受信するためのアンテナの方向の調整を容易にすることが可能な受信装置、および受信装置の制御方法を提供することにある。
【課題を解決するための手段】
【０００６】
本発明の一例に係わる受信装置は、同一チャネルを複数の帯域に分割し、分割された帯域から選ばれた１以上の帯域を占有する第１デジタル放送の信号と、前記分割された帯域から選ばれる前記第１デジタル放送より占有帯域数が多い帯域を占有する第２デジタル放送の信号とを含むデジタル放送信号を受信する受信装置であって、アンテナから入力されるデジタル放送信号を中間周波数信号に変換する第１チューナと、前記中間周波数信号を第１デジタル信号に変換すると共に、第１デジタル信号を復調して第１デジタル放送信号を再生するための第１復調信号を生成する第１復調器と、前記第１復調信号に対して誤り訂正処理を実行して第１誤り訂正信号を生成する第１誤り訂正器とを有する第１受信部と、前記アンテナから入力されるデジタル放送信号を中間周波数信号に変換する第２チューナと、前記中間周波数信号を第２デジタル信号に変換すると共に、第２デジタル信号を復調して第２デジタル放送信号を再生するための第２復調信号を生成する第２復調器と、前記第２復調信号に対して誤り訂正処理を実行して第２誤り訂正信号を生成する第２誤り訂正器を有する第２受信部と、前記第１誤り訂正信号から前記第１デジタル放送を再生することができる否かを判別する第１判別部と、前記第１判別部が前記第１デジタル放送を再生することができると判別した場合に、前記第１デジタル放送を再生することができることを通知するための第１通知部と、前記第１デジタル放送を再生することができると判別した場合に、前記第２誤り訂正信号から前記第２デジタル放送を再生することができるかを判別する第２判別部と、前記第２デジタル放送を再生することができると判別した場合に、前記第２デジタル放送を再生することができることを通知するための第２通知部とを具備することを特徴とする。
【０００７】
本発明の一例に係わる受信装置の制御方法は、同一チャネルを複数の帯域に分割し、分割された帯域から選ばれた１以上の帯域を占有する第１デジタル放送の信号と、前記分割された帯域から選ばれる前記第１デジタル放送より占有帯域数が多い帯域を占有する第２デジタル放送の信号とを含むデジタル放送信号を受信する受信装置の制御方法は、アンテナから入力される前記デジタル放送信号を中間周波数信号に変換し、前記中間周波数信号を第１デジタル信号に変換すると共に、前記第１デジタル信号を復調することによって前記第１デジタル放送を再生するための第１復調信号を生成し、前記第１復調信号に対して誤り訂正処理を実行して第１誤り訂正信号を生成し、前記第１誤り訂正信号から前記第１デジタル放送を再生することができる否かを判別し、前記第１デジタル放送を再生することができると判別した場合に、前記第１デジタル放送を再生することができることを通知し、前記アンテナから入力される前記デジタル放送信号を中間周波数信号に変換し、前記中間周波数信号をデジタル信号に変換すると共に、デジタル信号を復調して前記第２デジタル放送を再生するための第２復調信号を生成し、前記第２復調信号に対して誤り訂正処理を実行して第２誤り訂正信号を生成し、前記第２誤り訂正信号から前記第２デジタル放送を再生することができる否かを判別し、前記第２デジタル放送を再生することができると判別した場合に、前記第２デジタル放送を再生することができることを通知することを特徴とする。
【発明の効果】
【０００８】
デジタル放送を受信するためのアンテナの方向の調整を容易にすることが可能になる。
【発明を実施するための最良の形態】
【０００９】
以下、図面を参照して、本発明の実施形態を説明する。  
（第１の実施形態）  
まず、図１および図２を参照して、本発明の一実施形態に係る情報処理装置（受信装置）の構成について説明する。この情報処理装置は、例えば、ノートブック型パーソナルコンピュータ１０として実現されている。
【００１０】
図１はノートブック型パーソナルコンピュータ１０のディスプレイユニットを開いた状態における斜視図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれており、そのＬＣＤ１７の表示画面はディスプレイユニット１２のほぼ中央に位置されている。
【００１１】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０をパワーオン／パワーオフするためのパワーボタン１４、入力操作パネル１５、タッチパッド１６、およびスピーカ１８Ａ，１８Ｂなどが配置されている。
【００１２】
入力操作パネル１５は、押されたボタンに対応するイベントを入力する入力装置であり、複数の機能をそれぞれ起動するための複数のボタンを備えている。これらボタン群には、本コンピュータ１０のＴＶ機能を制御するための操作ボタンも含まれている。
【００１３】
本コンピュータ１０は、地上波デジタルＴＶ放送のようなデジタル放送番組データを受信、再生することができる。コンピュータ本体１１の右側面には、地上波デジタルＴＶ放送用のアンテナ端子１９が設けられている。
【００１４】
次に、図２を参照して、本コンピュータ１０のシステム構成について説明する。
【００１５】
本コンピュータ１０は、図２に示されているように、ＣＰＵ１０１、ノースブリッジ１０２、主メモリ１０３、サウスブリッジ１０４、グラフィクスプロセッシングユニット（ＧＰＵ）１０５、ビデオメモリ（ＶＲＡＭ）１０５Ａ、サウンドコントローラ１０６、ＢＩＯＳ−ＲＯＭ１０９、ＬＡＮコントローラ１１０、ハードディスクドライブ（ＨＤＤ）１１１、ＤＶＤドライブ１１２、カードコントローラ１１３、IEEE 1394コントローラ１１５、エンベデッドコントローラ／キーボードコントローラＩＣ（ＥＣ／ＫＢＣ）１１６、ワンセグチューナ１１７、１２セグチューナ１１８、およびＢ−ＣＡＳカード２０５が挿入されるカードスロット２０４等を備えている。
【００１６】
ＣＰＵ１０１は本コンピュータ１０の動作を制御するプロセッサであり、ハードディスクドライブ（ＨＤＤ）１１１から主メモリ１０３にロードされる、オペレーティングシステム、および各種アプリケーションプログラムを実行する。また、ＣＰＵ１０１は、ＢＩＯＳ−ＲＯＭ１０９に格納されたＢＩＯＳ（Basic Input Output System）も実行する。ＢＩＯＳはハードウェア制御のためのプログラムである。
【００１７】
ノースブリッジ１０２はＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、ＰＣＩ  ＥＸＰＲＥＳＳ規格のシリアルバスなどを介してＧＰＵ１０５との通信を実行する機能も有している。
【００１８】
ＧＰＵ１０５は本コンピュータ１０のディスプレイモニタとして使用されるＬＣＤ１７を制御する表示コントローラである。このＧＰＵ１０５によって生成される表示信号はＬＣＤ１７に送られる。また、表示信号は、コンピュータ本体１１に設けられたインタフェース３、４をそれぞれ介して外部のＴＶ１、外部のＨＤＭＩモニタに送出することもできる。
【００１９】
サウスブリッジ１０４は、ＬＰＣ（Low Pin Count）バス上の各デバイス、およびＰＣＩ（Peripheral Component Interconnect）バス上の各デバイスを制御する。また、サウスブリッジ１０４は、ＨＤＤ１１１、ＤＶＤドライブ１１２を制御するためのＩＤＥ（Integrated Drive Electronics）コントローラを内蔵している。さらに、サウスブリッジ１０４は、サウンドコントローラ１０６との通信を実行する機能も有している。
【００２０】
サウンドコントローラ１０６は音源デバイスであり、再生対象のオーディオデータをスピーカ１８Ａ，１８Ｂに出力する。
【００２１】
カードコントローラ１１３は、ＰＣカード、ＳＤ（Ｓｅｃｕｒｅ  Ｄｉｇｉｔａｌ）カードのようなカードを制御する。IEEE 1394コントローラ１１５は、IEEE 1394規格のシリアルバスを介して外部機器との通信を実行する。エンベデッドコントローラ／キーボードコントローラＩＣ（ＥＣ／ＫＢＣ）１１６は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１１６は、ユーザによるパワーボタン１４の操作に応じて本コンピュータ１０をパワーオン／パワーオフする機能を有している。
【００２２】
ワンセグチューナ１１７と１２セグチューナ１１８とは地上波デジタルＴＶ放送のようなデジタル放送番組を受信する受信装置であり、アンテナ端子１９に接続されている。図３に示すように、地上波デジタルＴＶ放送の一つのチャンネル（５．５７ＭＨｚの帯域）は、１３のセグメントに分かれた構造となっている。５．５７ＭＨｚ帯域の中央の帯域の１つのセグメントを用いて、「携帯電話・移動体端末向けの1セグメント部分受信サービス」、いわゆるワンセグが行われている。残りの１２のセグメントを用いて、ハイビジョン放送（ＨＤＴＶ）、通常画質の放送（ＳＤＴＶ）が行われる。ハイビジョン放送では１２のセグメントを用い、通常画質放送では４のセグメントを用いる。
【００２３】
モバイル端末（主に携帯電話）向けは画面が小さいため低解像度でよく、小型機器の性能に都合が良いため、１セグメントが割り当てられている。１２セグチューナ１１８は、ＨＤＴＶ放送を受信するために設けられ、ワンセグチューナ１１７はモバイル端末向けのワンセグ放送を受信するために設けられている。
【００２４】
ＩＳＤＢ−Ｔ放送では、それぞれのセグメントに対して違った変調をかける事ができる（最大３種類迄）。ＩＳＤＢ−Ｔでは、ＤＱＰＳＫ（Differential Quadrature Phase Shift Keying）、ＱＰＳＫ（Quadrature Phase Shift Keying）、１６ＱＡＭ（Quadrature Amplitude Modulation）、６４ＱＡＭの変調方式を使うことが出来る。例えば、ハイビジョン放送では６４ＱＡＭが用いられる。ワンセグでは６４ＱＡＭよりノイズに強いＱＰＳＫが用いられる。
【００２５】
ＩＳＤＢ−Ｔ放送は、ＢＳＴ−ＯＦＤＭ（Band Segmented Transmission - Orthogonal Frequency Division Multiplexing）方式で伝送されている。ＢＳＴ−ＯＦＤＭ方式について説明する。伝送するデータを５，６１７本のキャリアに分けて、それぞれのデータに対してＱＰＳＫあるいはＱＡＭなどのデジタル変調を行う。そのとき１本のデータ（サブキャリア）に対応する搬送波の周波数は０．９９２ｋＨｚとなる。この０．９９２ｋＨｚの搬送波をすき間なく５，６１７本並べ、５．５７ＭＨｚ帯域のテレビ１チャンネル分のＯＦＤＭ信号が形成される。
【００２６】
ワンセグチューナ１１７、１２セグチューナ１１８、およびデジタル放送を再生するための構成について図４を参照して説明する。
【００２７】
ワンセグチューナ１１７および１２セグチューナ１１８からの信号を再生するためのＩＳＤＢ視聴ソフトウエア４００は、制御部４１０、第１判別部４１１、第２判別部４１２、デコード部４２０、および映像／音声出力制御部４２１等のモジュールを有する。ＩＳＤＢ視聴ソフトウエア４００のモジュールは、ＣＰＵ１０１によって実行される。制御部４１０、第１判別部４１１、および第２判別部４１２は、アンテナＡＮＴの方向を調製する場合に実行されるモジュールである。
【００２８】
ワンセグチューナ１１７は、チューナ回路２０１、およびＯＦＤＭ復調器２０２を備えている。チューナ回路２０１はアンテナ端子１９から入力されるデジタル放送信号（高周波信号）の中から、所望の受信チャンネルに対応する周波数の信号成分を、それぞれのミキサを用いて中間周波数信号に変換するとともに、それぞれのアンプを用いてそれぞれのＯＦＤＭ復調器２０２に入力するための所定の電力レベルに増幅する。
【００２９】
ＯＦＤＭ復調器２０２では、チューナ回路２０１からのアナログの中間周波数信号をそれぞれＡ／Ｄ変換してデジタル信号に変換し、それぞれ直交復調を行って複素デジタル信号に変換し、それぞれＦＦＴ（高速フーリエ変換）を行って周波数軸上のサブキャリア信号に分解した上でからワンセグ放送を再生するための復調信号を出力する。なお、ＯＦＤＭ復調器２０２では、復調時に検出された搬送波対雑音電力比（Ｃ／Ｎ比）値を出力する。
【００３０】
ＩＳＤＢ−Ｔでは、リードソロモンと畳み込み符号によって、エラー訂正のための符号化が行われている。エラー訂正器２０３は、エラーを検出し、検出したエラーを訂正して誤り訂正信号（トランスポートストリーム（ＴＳ））および誤りＢＥＲ（Bit Error Rate）を出力する。
【００３１】
トランスポートストリームは、圧縮符号化された放送番組データを多重化したデータストリームである。地上波デジタルＴＶ放送においては、各チャネルの放送番組データに対応するトランスポートストリーム（ＴＳ）は、圧縮符号化された動画像データと、圧縮符号化されたオーディオデータと、グラフィクスデータとを含む。グラフィクスデータも圧縮符号化されている。
【００３２】
ＣＰＵ１０１で実行される映像／音声出力制御部４２０は、復号されたトランスポートストリーム（ＴＳ）を映像データ、音声データ、グラフィクスデータに分離する。映像／音声出力制御部４２０は、H.264方式でエンコードされている映像のストリームをＧＰＵ１０５に送る。ＧＰＵ１０５は、映像データをデコードする。
【００３３】
グラフィクスデータには、そのグラフィクスデータを提示するための手続きを記述したスクリプト情報が付加されている。このスクリプト情報はＢＭＬ（Broadcast Markup Language）と称されるスクリプト言語によって記述されている。スクリプト情報は、グラフィクスデータを構成する各部品要素をいつ、どこに表示するかを指定する。
【００３４】
映像／音声出力制御部４２０はグラフィクスデータをデータ放送の書式であるＢＭＬ（Broadcast Markup Language）に従って、複数のグラフィックスプレーンに描画する。
【００３５】
ＧＰＵ１０５は、その後，データ放送のグラフィックスプレーンとデコードされた映像データとを一つに重ね合わせて合成し，映像データとしてＬＣＤ１７へと送り、ワンセグ放送の映像が再生される。
【００３６】
また、映像／音声出力制御部４２０は、AAC方式でエンコードされている音声データをサウンドコントローラ１０６に送る。サウンドコントローラ１０６は、音声データを復号し、スピーカに入力し、ワンセグ放送の音声が再生される。
【００３７】
１２セグチューナ１１８は、チューナ回路２１１、およびＯＦＤＭ復調器２１２を備えている。チューナ回路２１１はアンテナ端子１９から入力されるデジタル放送信号（高周波信号）の中から、所望の受信チャンネルに対応する周波数の信号成分を、それぞれのミキサを用いて中間周波数信号に変換するとともに、それぞれのアンプを用いてそれぞれのＯＦＤＭ復調器２１２に入力するための所定の電力レベルに増幅する。
【００３８】
ＯＦＤＭ復調器２１２では、チューナ回路２１１からのアナログの中間周波数信号をそれぞれＡ／Ｄ変換してデジタル信号に変換し、それぞれ直交復調を行って複素デジタル信号に変換し、それぞれＦＦＴ（高速フーリエ変換）を行って周波数軸上のサブキャリア信号に分解した上でから１２セグメント放送を再生するための復調信号を出力する。なお、ＯＦＤＭ復調器２１２では、復調時に検出された搬送波対雑音電力比（Ｃ／Ｎ比）値を出力する。
【００３９】
ＩＳＤＢ−Ｔでは、リードソロモンと畳み込み符号によって、エラー訂正のための符号化が行われている。エラー訂正器２１３は、エラーを検出し、検出したエラーを訂正して誤り訂正信号および誤りＢＥＲ（Bit Error Rate）を出力する。
【００４０】
エラー訂正器から出力されるデータは、デジタル放送用限定受信方式（ＭＵＬＴＩ２）暗号で暗号化されている。著作権保護ＬＳＩは、Ｂ−ＣＡＳ（Broadcasting satellite - Conditional Access Systems）カード２０５に格納されている復号鍵を用いてＭＵＬＴＩ２方式の暗号を復号しトランスポートストリーム（ＴＳ）を得る。著作権保護ＬＳＩは、ＰＣＩ等の汎用バスにストリームを流すために、ローカル暗号化して、ＰＣＩバスを介してＣＰＵに送る。
【００４１】
ＣＰＵ１０１で実行されるデコード部４２０は、ローカル暗号化されているトランスポートストリーム（ＴＳ）を復号する。復号されたトランスポートストリーム（ＴＳ）を映像データ、音声データ、グラフィクスデータに分離する。ＣＰＵ１０１で実行される映像／音声出力制御部４２１は、ＭＰＥＧ−２方式でエンコードされている映像のストリームをＧＰＵ１０５に送る。ＧＰＵ１０５は、映像データをデコードする。
【００４２】
グラフィクスデータには、そのグラフィクスデータを提示するための手続きを記述したスクリプト情報が付加されている。このスクリプト情報はＢＭＬ（Broadcast Markup Language）と称されるスクリプト言語によって記述されている。スクリプト情報は、グラフィクスデータを構成する各部品要素をいつ、どこに表示するかを指定する。
【００４３】
映像／音声出力制御部４２１はグラフィクスデータをデータ放送の書式であるＢＭＬ（Broadcast Markup Language）に従って、複数のグラフィックスプレーンに描画する。
【００４４】
ＧＰＵ１０５は、その後，データ放送のグラフィックスプレーンとデコードされた映像データとを一つに重ね合わせて合成し，映像データとしてＬＣＤ１７へと送り、１２セグメント放送の映像が再生される。
【００４５】
また、映像／音声出力制御部４２１は、AAC方式でエンコードされている音声データをサウンドコントローラ１０６に送る。サウンドコントローラ１０６は、音声データを復号してスピーカに入力し、１２セグメント放送の音声が再生される。
【００４６】
ところで、ＣＡＴＶ経由でデジタルテレビを受信する場合は、信号レベルがＣＡＴＶ会社によって保証されている。しかし、一般家庭では屋上などの野外アンテナや、室内アンテナで受信する場合は、それは保証されていないため、アンテナを調整して最良の方向に設置する必要がある。
【００４７】
本コンピュータ１０のＩＳＤＢ−Ｔを視聴するためのソフトウエアは、ユーザがアンテナＡＮＴの方向の調整を容易に行えるようにするためのアンテナ調整モードを有する。以下に、ユーザがアンテナ調整モードを選択した後の処理について図５のフローチャートを用いて説明する。
【００４８】
先ず、制御部４１０は、ワンセグチューナ１１７および１２セグチューナ１１８にある同一のチャンネルに周波数を合わせるように指令する（ステップＳ１１）。制御部４１０は、ワンセグチューナ１１７にＣ／Ｎ比およびＢＥＲを送信するように要求する（ステップＳ１２）。制御部４１０は、ワンセグチューナ１１７から送信されたＣ／Ｎ比およびＢＥＲを映像／音声出力制御部４２１を表示するように命令する。映像／音声出力制御部４２１は、Ｃ／Ｎ比およびＢＥＲをＬＣＤ１７に表示する（ステップＳ１３）。ユーザは、ＬＣＤ１７に表示されるＣ／Ｎ比およびＢＥＲを確認しつつアンテナの向きを調整することができる。この時、ユーザは、Ｃ／Ｎ比が大きく、ＢＥＲが小さくなるようにアンテナの向きを調整すればよい。
【００４９】
第１判別部４１１は、ワンセグチューナ１１７から送信されるＣ／Ｎ比がしきい値（例えば１２ｄＢ）以上であるか否かを判別する（ステップＳ１４）。第１判別部４１１は、Ｃ／Ｎ比がしきい値以上であると判別するまで、ステップＳ１４の判別処理を行う。
【００５０】
Ｃ／Ｎ比がしきい値以上であると判別した場合（ステップＳ１４のＹｅｓ）、第１判別部４１１は、ワンセグチューナ１１７から送信されたＢＥＲがしきい値（例えば０．２％）以下であるか否かを判別する（ステップＳ１５）。第１判別部４１１は、ＢＥＲ比がしきい値以下であると判別するまで、ステップＳ１５の判別処理を行う。
【００５１】
ＢＥＲがしきい値以下であると判別した場合（ステップＳ１５のＹｅｓ）、第１判別部４１１は、ワンセグチューナ１１７に供給されている信号がワンセグ放送を再生するのに十分な状態であると判別し、制御部４１０に通知する。制御部４１０は、映像／音声出力制御部４２１にワンセグ放送を再生するように命令する。映像／音声出力制御部４２１は、ワンセグチューナ１１７から供給される信号に対して前述した処理を行って、ＬＣＤ１７にワンセグの映像を表示すると共に、スピーカから音声を出力する（ステップＳ１６）。ワンセグ放送が再生されることによって、ユーザが第１デジタル放送を再生することができることが通知される。
【００５２】
制御部４１０は、１２セグチューナ１１８にＣ／Ｎ比およびＢＥＲを送信するように指令する（ステップＳ１７）。制御部４１０は、映像／音声出力制御部４２１に１２セグチューナ１１８から送信されたＣ／Ｎ比およびＢＥＲをＬＣＤ１７に表示するように命令する。映像／音声出力制御部４２１は、１２セグチューナ１１８から送信されたＣ／Ｎ比およびＢＥＲをＬＣＤ１７に表示するための処理を実行する（ステップＳ１８）。ユーザは、ＬＣＤ１７に表示されるＣ／Ｎ比およびＢＥＲを確認しつつ、Ｃ／Ｎ比が大きく、ＢＥＲが小さくなるようにアンテナを調整する。このとき、Ｃ／Ｎ比およびＢＥＲをワンセグの映像にオーバーレイ表示しても良い。
【００５３】
第２判別部４１２は、１２セグチューナから送信されるＣ／Ｎ比がしきい値（例えば、２０ｄＢ）以上であるか否かを判別する（ステップＳ１９）。第２判別部４１２は、Ｃ／Ｎ比がしきい値以上であると判別するまで、ステップＳ１９の判別処理を行う。
【００５４】
Ｃ／Ｎ比がしきい値以上であると判別した場合（ステップＳ１９のＹｅｓ）、第２判別部４１２は、１２セグチューナから送信されたＢＥＲがしきい値（例えば、０．２％）以下であるか否かを判別する（ステップＳ２０）。第２判別部４１２は、ＢＥＲ比がしきい値以下であると判別するまで、ステップＳ２０の判別処理を行う。
【００５５】
ＢＥＲがしきい値以下であると判別した場合（ステップＳ２０のＹｅｓ）、制御部４１０は、調整モードを終了するか否かを判別する（ステップＳ２１）。例えば、調整モードを終了させるか否かをユーザに問い合わせるためのダイアログボックスをＬＣＤ１７に表示する。ユーザが調整モードの終了を選択した場合、調整モードを終了すると判別する。ユーザにダイアログボックスを表示することによって、１２セグメント放送を再生することが出来ることが通知される。
【００５６】
調整モードを終了すると判別した場合（ステップＳ２１のＹｅｓ）、制御部４１０は、１２セグメント放送を再生するように映像／音声出力制御部４２１に命令する。映像／音声出力制御部４２１は、１２セグチューナから供給されるストリームに基づいて、映像・音声を出力する（ステップＳ２２）。
【００５７】
以上で、アンテナ調整モードが終了する。以下に本実施形態のアンテナ方向の調整モードの作用／効果について説明する。
【００５８】
アナログテレビの場合は、エラーの発生頻度に応じてなだらかに、その出力の品質が変化するため、アンテナの向きの調整に、その出力を指標にすることが出来る。
【００５９】
デジタルテレビの場合、エラーの発生頻度に応じて映像および音声の品質が急激に変化するため、映らない方向にアンテナを向けても、それが映る方向に近いのか遠いのかを判断するのが、非常に難しい。またエラーが発生している方向でアンテナを動かす場合、エラーが多発するのでチューナの初期化が多発する上に、エラーが発生しない場合でも画面を表示するために必要なデータ量をバッファリングしてデコード処理をする必要があるため、これが映像音声の出力の遅延の原因となり、アンテナの方向の調整を難しくしている。
【００６０】
ところで、移動体での受信では固定で受信する通常の放送やハイビジョンに比べて受信環境が厳しくなる。ワンセグの放送は、通常の１２セグメントが採用する変調方式（１６ＱＡＭ、６４ＱＡＭ）に比べてノイズに強いＱＰＳＫ（Quadrature Phase Shift Keying）が採用され、エラー訂正のための冗長データもより多く付加されている。また、ワンセグは、１２セグメントに対して画像も小さいのでデータ量が少ない。そのため、ワンセグは、１２セグメント放送に比べて一般的に６ｄＢ以上もＣ／Ｎ比が低い信号状態でも正常に受信し、映像音声を出力することができる。
【００６１】
また、データ量が少ないため、バッファリングのサイズも小さくてすみ、デコードなどの処理も１２セグメントの放送に比べると少ないため、電波受信から、映像音声の出力までの時間を短くすることができ、現在の電波状態を短い遅延で映像、音声に出力することができる。言い換えればアンテナの方向に対する応答性がワンセグの方が１２セグメント放送よりも優れている。
【００６２】
図６は、ワンセグ放送のＣ／Ｎ比と実際に映像や音声として出力されるエラー頻度との関係を示した例である。
【００６３】
ワンセグ放送の場合も１２セグメント放送とは、Ｃ／Ｎが低下したときの、映像や音声に出力されるエラーは同じであるが、変調方式、エラー訂正のための冗長度が異なるため、６ｄＢ以上もＣ／Ｎの低下に強く、１２セグメント放送で映像や音声が再生されないような低いＣ／Ｎでも映像や音声を出力することが出来る。
【００６４】
また、放送や受信する場所によっては、受信アンテナの向きを、反射を考慮するなどして送信アンテナとは違う方向に合わせた方がより映りが良い、また送信アンテナの方向が分からないと言った問題がある。ワンセグの放送波は、１２セグの放送の中心セグメントを使って行われるため、ワンセグの最も良く映る方向にアンテナを合わせると、その１２セグの放送も最も良く映る方向になる。ただし、ワンセグ放送の方が所要Ｃ／Ｎが低い分、最良の方向からのずれが、１２セグの場合よりも大きくても映像が出る。
【００６５】
図３に示したように、ワンセグのデータは１２セグのデータに挟まれその中央に配置されている。そのため、テレビ放送の周波数によってアンテナの最適な方向が異なったとしても、その１２セグメント放送に合わせるために、ワンセグ放送の向きにアンテナを合わせることで、良好な受信状態を得ることができる。
【００６６】
１２セグの放送では映像音声が出力できないような状態でも、ワンセグの映像を出力することにより１２セグのアンテナ調整のための指標にすることが出来る。
【００６７】
図７は、１２セグメント放送とワンセグ放送との受信可能なアンテナ方向の関係を示す。図７は、アンテナの角度に対するＣ／Ｎ比の変化を表している。Ｃ／Ｎ比は、ある向きでピークを持つ。図７に示すＣ／Ｎ比が“１２セグメント放送の所用Ｃ／Ｎ比”以上の場合に、１２セグメントの映像や音声を正常に出力することができる。また、Ｃ／Ｎ比が“ワンセグの所用Ｃ／Ｎ比”以上の場合に、ワンセグ放送の映像や音声を正常に出力することができる。
【００６８】
図７に示すように、送信アンテナと受信アンテナの距離や角度の関係によっては、１２セグメント放送に必要なＣ／Ｎ比を確保できない場合もある。しかし、ワンセグ放送では必要なＣ／Ｎ比が低いため、１２セグメント放送よりも広い範囲で受信することができる。
【００６９】
図８は映像や音声で見たときのエラーと受信レベルとの関係である。図８（Ａ）は１２セグメント放送の例である。図８（Ａ）に示すように、所要Ｃ／Ｎが確保できるとき、エラーがほとんど無いが、それをはずれると急激に劣化して、映像や音声を基準にアンテナの方向を合わせるのは難しい。一方、図８（Ｂ）はワンセグのエラーの例である。急激に映像や音声が出力されなくなる事は１２セグの場合と同じであるが、より広い範囲で受信することができる。そのため、アンテナの向きを合わせるのには使いやすい。
【００７０】
ワンセグ放送はデータ量も少ないため、１２セグメント放送の場合と比べると、データ処理の時間が少なく、アンテナから入力された放送が映像や音声として出力されるまでの時間が短いためアンテナの方向を合わせるのには１２セグの放送よりも向いている。
【００７１】
（第２の実施形態）
１２セグチューナにおいてエラー訂正で訂正することが出来ないエラーが多い場合、ソフトウエアによる１２セグチューナの再初期化などエラーが発生したことによる処理が多発してしまう。その結果、ワンセグチューナ側の電波入力から映像出力までに時間がかかってしまい、アンテナの向きに対する応答性が悪くなる。そのため、ワンセグが受信できる信号状態であることが確認できるまで、１２セグメントの信号を受信しないことにする。それにより、１２セグチューナ側でエラーが多発することなく、ワンセグ放送の応答性がより良くなる。その結果、１２セグメント放送向けのアンテナ調整にかかる時間を短縮することが出来る。
【００７２】
以下に、アンテナ調整モードを選択した後の処理について図９のフローチャートを用いて説明する。
【００７３】
先ず、制御部４１０は、ワンセグチューナおよび１２セグチューナにある同一のチャンネルに周波数を合わせるように指令する（ステップＳ３１）。制御部４１０は、１２セグチューナにアンテナ端子１９から供給される信号の受信処理を停止するように命令する（ステップＳ３２）。なお、受信処理の停止は、誤り訂正器による誤り訂正処理だけを停止するようにしても良い。
【００７４】
続いて、制御部４１０は、ワンセグチューナにＣ／Ｎ比およびＢＥＲを送信するように要求する（ステップＳ３３）。制御部４１０は、ワンセグチューナ１１７から送信されたＣ／Ｎ比およびＢＥＲを映像／音声出力制御部４２１を表示するように命令する。映像／音声出力制御部４２１は、Ｃ／Ｎ比およびＢＥＲをＬＣＤ１７に表示する（ステップＳ３４）。ユーザは、ＬＣＤ１７に表示されるＣ／Ｎ比およびＢＥＲを確認しつつアンテナの向きを調整することができる。この時、ユーザは、Ｃ／Ｎ比が大きく、ＢＥＲが小さくなるようにアンテナの向きを調整すればよい。
【００７５】
第１判別部４１１は、ワンセグチューナ１１７から送信されるＣ／Ｎ比がしきい値以上であるか否かを判別する（ステップＳ３５）。第１判別部４１１は、Ｃ／Ｎ比がしきい値以上であると判別するまで、ステップＳ３５の判別処理を行う。
【００７６】
Ｃ／Ｎ比がしきい値以上であると判別した場合（ステップＳ３５のＹｅｓ）、第１判別部４１１は、ワンセグチューナ１１７から送信されたＢＥＲがしきい値以下であるか否かを判別する（ステップＳ３６）。ソフトウエアは、ＢＥＲ比がしきい値以下であると判別するまで、ステップＳ３６の判別処理を行う。
【００７７】
ＢＥＲがしきい値以下であると判別した場合（ステップＳ３６のＹｅｓ）、第１判別部４１１は、ワンセグチューナ１１７に供給されている信号がワンセグ放送を再生するのに十分な状態であると判別し、制御部４１０に通知する。制御部４１０は、映像／音声出力制御部４２１にワンセグ放送を再生するように命令する。映像／音声出力制御部４２１は、ワンセグチューナ１１７から供給される信号に対して前述した処理を行って、ＬＣＤ１７にワンセグの映像を表示すると共に、スピーカから音声を出力する（ステップＳ３７）。ワンセグ放送が再生されることによって、ユーザが第１デジタル放送を再生することができることが通知される。
【００７８】
制御部４１０は、１２セグチューナ１１８に受信処理を再開するように命令する（ステップＳ３８）。制御部４１０は、１２セグチューナ１１８にＣ／Ｎ比およびＢＥＲを送信するように要求する（ステップＳ３９）。
【００７９】
制御部４１０は、映像／音声出力制御部４２１に１２セグチューナ１１８から送信されたＣ／Ｎ比およびＢＥＲをＬＣＤ１７に表示するように命令する。映像／音声出力制御部４２１は、１２セグチューナ１１８から送信されたＣ／Ｎ比およびＢＥＲをＬＣＤ１７に表示するための処理を実行する（ステップＳ４０）。ユーザは、ＬＣＤ１７に表示されるＣ／Ｎ比およびＢＥＲを確認しつつ、Ｃ／Ｎ比が大きく、ＢＥＲが小さくなるようにアンテナを調整する。このとき、Ｃ／Ｎ比およびＢＥＲをワンセグの映像にオーバーレイ表示しても良い。
【００８０】
第２判別部４１２は、１２セグチューナから送信されるＣ／Ｎ比がしきい値以上であるか否かを判別する（ステップＳ４１）。第２判別部４１２は、Ｃ／Ｎ比がしきい値以上であると判別するまで、ステップＳ４１の判別処理を行う。
【００８１】
Ｃ／Ｎ比がしきい値以上であると判別した場合（ステップＳ４１のＹｅｓ）、第２判別部４１２は、１２セグチューナ１１８から送信されたＢＥＲがしきい値以下であるか否かを判別する（ステップＳ４２）。第２判別部４１２は、ＢＥＲ比がしきい値以下であると判別するまで、ステップＳ４２の判別処理を行う。
【００８２】
ＢＥＲがしきい値以下であると判別した場合（ステップＳ４２のＹｅｓ）、制御部４１０は、調整モードを終了するか否かを判別する（ステップＳ４３）。例えば、調整モードを終了させるか否かをユーザに問い合わせるためのダイアログボックスをＬＣＤ１７に表示する。ユーザが調整モードの終了を選択した場合、調整モードを終了すると判別する。ユーザにダイアログボックスを表示することによって、１２セグメント放送を再生することが出来ることが通知される。
【００８３】
調整モードを終了すると判別した場合（ステップＳ４３のＹｅｓ）、制御部４１０は、１２セグメント放送を再生するように映像／音声出力制御部４２１に命令する。映像／音声出力制御部４２１は、１２セグチューナから供給されるストリームに基づいて、映像・音声を出力する（ステップＳ４４）。
【００８４】
本実施形態の場合、エラーが多発するワンセグチューナを用いたアンテナ方向調整時に、１２セグチューナでの受信処理を停止させることによって、ソフトウエアによる１２セグチューナの再初期化の処理が無くなる。
【００８５】
その結果、ワンセグチューナ側の電波入力から映像出力までに時間がかかることが無く、アンテナの向きに対する応答性を向上させることが出来る。その結果、１２セグメント放送向けのアンテナ調整にかかる時間を短縮することが出来る。
【００８６】
（第３の実施形態）
ワンセグ放送は１２セグメント放送の中心を使用している（図３）。そのためワンセグで測定したＣ／Ｎ比は１２セグメント放送におけるＣ／Ｎ比に近い値を示す。そこで、ワンセグ放送の受信だけで１２セグメント放送のＣ／Ｎ比を推測して、１２セグメント放送に十分なＣ／Ｎが確保できるかを判断する。１２セグメント放送で十分なＣ／Ｎ比が確保できていると判断したときだけ１２セグメント放送の受信をおこなう。これにより１２セグメント放送受信で発生するエラーを少なくして、アンテナの方向に対する応答性を改善することができる。
【００８７】
図１０は、本発明の第３の実施形態に係わるワンセグチューナ１１７、１２セグチューナ１１８、およびデジタル放送を再生するための構成を示すブロック図である。
【００８８】
本実施形態の場合、ワンセグチューナ１１７から出力されるＣ／Ｎ比を用いて１２セグメント放送の再生に十分なＣ／Ｎが確保できるかを判別する第３判別部４１３を有する。
【００８９】
図１１のフローチャートを参照してユーザがアンテナ調整モードを選択した後の処理について説明する。
【００９０】
先ず、制御部４１０は、ワンセグチューナおよび１２セグチューナにある同一のチャンネルに周波数を合わせるように指令する（ステップＳ５１）。制御部４１０は、１２セグチューナにアンテナ端子１９から供給される信号の受信処理を停止するように命令する（ステップＳ５２）。なお、受信処理の停止は、誤り訂正器による誤り訂正処理だけを停止するようにしても良い。
【００９１】
続いて、制御部４１０は、ワンセグチューナにＣ／Ｎ比およびＢＥＲを送信するように要求する（ステップＳ５３）。制御部４１０は、ワンセグチューナ１１７から送信されたＣ／Ｎ比およびＢＥＲを映像／音声出力制御部４２１を表示するように命令する。映像／音声出力制御部４２１は、Ｃ／Ｎ比およびＢＥＲをＬＣＤ１７に表示する（ステップＳ５４）。ユーザは、ＬＣＤ１７に表示されるＣ／Ｎ比およびＢＥＲを確認しつつアンテナの向きを調整することができる。この時、ユーザは、Ｃ／Ｎ比が大きく、ＢＥＲが小さくなるようにアンテナの向きを調整すればよい。
【００９２】
第１判別部４１１は、ワンセグチューナ１１７から送信されるＣ／Ｎ比がしきい値以上であるか否かを判別する（ステップＳ５５）。第１判別部４１１は、Ｃ／Ｎ比がしきい値以上であると判別するまで、ステップＳ５５の判別処理を行う。
【００９３】
Ｃ／Ｎ比がしきい値以上であると判別した場合（ステップＳ５５のＹｅｓ）、第１判別部４１１は、ワンセグチューナ１１７から送信されたＢＥＲがしきい値以下であるか否かを判別する（ステップＳ５６）。ソフトウエアは、ＢＥＲ比がしきい値以下であると判別するまで、ステップＳ５６の判別処理を行う。
【００９４】
ＢＥＲがしきい値以下であると判別した場合（ステップＳ５６のＹｅｓ）、第１判別部４１１は、ワンセグチューナ１１７に供給されている信号がワンセグ放送を再生するのに十分な状態であると判別し、制御部４１０に通知する。制御部４１０は、映像／音声出力制御部４２１にワンセグ放送を再生するように命令する。映像／音声出力制御部４２１は、ワンセグチューナ１１７から供給される信号に対して前述した処理を行って、ＬＣＤ１７にワンセグの映像を表示すると共に、スピーカから音声を出力する（ステップＳ５７）。ワンセグ放送が再生されることによって、ユーザが第１デジタル放送を再生することができることが通知される。
【００９５】
制御部４１０は、ワンセグチューナにＣ／Ｎ比の送信を要求する（ステップＳ５８）。そして、第３判別部４１３は、Ｃ／Ｎ比が１２セグメント放送を受信するのに十分なＣ／Ｎ比以上であるか判別する（ステップＳ５９）。視聴ソフトウエア４００は、ワンセグチューナから送信されるＣ／Ｎ比が１２セグメント放送を受信するのに十分なＣ／Ｎ比以上であると判別する迄、ステップＳ５８、およびＳ５９の処理を実施する。
【００９６】
Ｃ／Ｎ比が１２セグメント放送を受信するのに十分なＣ／Ｎ比以上であると判別した場合（ステップＳ５９のＹｅｓ）、
制御部４１０は、１２セグチューナ１１８に受信処理を再開するように命令する（ステップＳ６０）。制御部４１０は、１２セグチューナ１１８にＣ／Ｎ比およびＢＥＲを送信するように要求する（ステップＳ６１）。
【００９７】
制御部４１０は、映像／音声出力制御部４２１に１２セグチューナ１１８から送信されたＣ／Ｎ比およびＢＥＲをＬＣＤ１７に表示するように命令する。映像／音声出力制御部４２１は、１２セグチューナ１１８から送信されたＣ／Ｎ比およびＢＥＲをＬＣＤ１７に表示するための処理を実行する（ステップＳ６２）。ユーザは、ＬＣＤ１７に表示されるＣ／Ｎ比およびＢＥＲを確認しつつ、Ｃ／Ｎ比が大きく、ＢＥＲが小さくなるようにアンテナを調整する。このとき、Ｃ／Ｎ比およびＢＥＲをワンセグの映像にオーバーレイ表示しても良い。
【００９８】
第２判別部４１２は、１２セグチューナから送信されるＣ／Ｎ比がしきい値以上であるか否かを判別する（ステップＳ６３）。第２判別部４１２は、Ｃ／Ｎ比がしきい値以上であると判別するまで、ステップＳ６３の判別処理を行う。
【００９９】
Ｃ／Ｎ比がしきい値以上であると判別した場合（ステップＳ６３のＹｅｓ）、第２判別部４１２は、１２セグチューナ１１８から送信されたＢＥＲがしきい値以下であるか否かを判別する（ステップＳ６４）。第２判別部４１２は、ＢＥＲ比がしきい値以下であると判別するまで、ステップＳ６４の判別処理を行う。
【０１００】
ＢＥＲがしきい値以下であると判別した場合（ステップＳ６４のＹｅｓ）、制御部４１０は、調整モードを終了するか否かを判別する（ステップＳ６５）。例えば、調整モードを終了させるか否かをユーザに問い合わせるためのダイアログボックスをＬＣＤ１７に表示する。ユーザが調整モードの終了を選択した場合、調整モードを終了すると判別する。ユーザにダイアログボックスを表示することによって、１２セグメント放送を再生することが出来ることが通知される。
【０１０１】
調整モードを終了すると判別した場合（ステップＳ６５のＹｅｓ）、制御部４１０は、１２セグメント放送を再生するように映像／音声出力制御部４２１に命令する。映像／音声出力制御部４２１は、１２セグチューナから供給されるストリームに基づいて、映像・音声を出力する（ステップＳ６６）。
【０１０２】
本実施形態によれば、ワンセグチューナ１１７が出力するＣ／Ｎ比から１２セグメント放送のＣ／Ｎを推測して、１２セグメント放送を受信するのに十分なＣ／Ｎが確保できるかを判断する。１２セグメント放送の受信に十分なＣ／Ｎが確保できていると判断したときだけ１２セグメント放送の受信をおこなう。これにより１２セグ放送受信で発生するエラーを少なくして、アンテナの方向に対する応答性を改善することができる。
【０１０３】
なお、上記実施形態では、１２セグメント放送向けのチューナとワンセグ放送向けのチューナが別ボードとして表しているが、ワンセグ用の受信機能と１２セグメント放送の受信機能が同じ基板に実装して、視聴ソフトウエア４００からその機能を選択できるようにした形態、１３セグ用の受信機で１２セグメント放送とワンセグ放送を同時に受信して、視聴ソフトウエア４００からどちらのデータをデコードするかを選択する形態なども考えられる。
【０１０４】
また、第１判別部４１１および第２判別部４１２は、搬送波対雑音電力比の代わりに、チューナが出力する信号対雑音比を用いて判別処理を行っても良い。
【０１０５】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１０６】
【図１】本発明の一実施形態に係るコンピュータの概観を示す斜視図。
【図２】図１のコンピュータのシステム構成の例を示すブロック図。
【図３】地上波デジタルＴＶ放送の１チャンネルの帯域内の構成を示す図。
【図４】第１の実施形態に係わる、ワンセグチューナ、１２セグチューナ、およびデジタル放送を再生するための構成の例を示すブロック図。
【図５】第１の実施形態に係わるアンテナ調整モードにおける処理の手順を示すフローチャート。
【図６】ワンセグ放送のＣ／Ｎ比と実際に映像や音声として出力されるエラー頻度との関係を示した例を示す図。
【図７】１２セグメント放送とワンセグ放送との受信可能なアンテナ方向の関係の例を示す図。
【図８】デジタル放送を再生したときのエラーと受信レベルとの関係の例を示す図。
【図９】第２の実施形態に係わるアンテナ調整モードにおける処理の手順を示すフローチャート。
【図１０】第３の実施形態に係わる、ワンセグチューナ、１２セグチューナ、およびデジタル放送を再生するための構成の例を示すブロック図。
【図１１】第３の実施形態に係わるアンテナ調整モードにおける処理の手順を示すフローチャート。
【符号の説明】
【０１０７】
１１７…ワンセグチューナ，１１８…１２セグチューナ，２０１…チューナ回路，２０２…ＯＦＤＭ復調器，２０３…エラー訂正器，２１１…チューナ回路，２１２…ＯＦＤＭ復調器，２１３…エラー訂正器，４００…ＩＳＤＢ視聴ソフトウエア，４１０…制御部，４１１…第１判別部，４１２…第２判別部，４１３…第３判別部，４２１…映像／音声出力制御部。
【図１】
2008160424.tif 000003
【図２】
2008160424.tif 000004
【図３】
2008160424.tif 000005
【図４】
2008160424.tif 000006
【図５】
2008160424.tif 000007
【図６】
2008160424.tif 000008
【図７】
2008160424.tif 000009
【図８】
2008160424.tif 000010
【図９】
2008160424.tif 000011
【図１０】
2008160424.tif 000012
【図１１】
2008160424.tif 000013